(57)【特許請求の範囲】
【請求項１】
ポスターや広告などの印刷物、コンピュータの出力メディアなどの表面に、ラミネート・フィルムを貼り付けて積層体を形成するラミネート装置において、ラミネート・フィルムの原反、ラミネート・フィルムから剥離した離型紙、搬送用フィルムの原反の少なくともいずれか一つの巻芯を支持する軸の側面を軸方向に切欠いて窪みを形成し、この窪みに軟ビニル系チューブなどの可撓性を有するチューブを入れ、このチューブの両端を押さえ部材によって固定した巻芯支持部材を具備することを特徴とするラミネート装置。
【請求項２】
ポスターや広告などの印刷物、コンピュータの出力メディアなどの表面に、ラミネート・フィルムを貼り付けて積層体を形成するラミネート装置において、ラミネート・フィルムの原反、ラミネート・フィルムから剥離した離型紙、搬送用フィルムの原反の少なくともいずれか一つの巻芯を支持する軸の側面を軸方向に切欠いて窪みを形成し、この窪みに軟ビニル系チューブなどの可撓性を有するチューブを入れ、このチューブの中に棒を挿通し、この棒の両端を押さえ部材によって固定した巻芯支持部材を具備することを特徴とするラミネート装置。
【発明の詳細な説明】
【０００１】
【発明が属する技術分野】
この発明は、ポスターや広告などの印刷物、コンピュータの出力メディアなど（以下、メディアという）の表面に、片面に粘着剤を塗布した透明または半透明なラミネート・フィルムを貼り付けて、印刷物の表面を保護することにより、メディアの耐水性、耐候性を向上させる積層体の形成に使用するラミネート装置に関する。
【０００２】
【従来の技術】
ラミネート・フィルム原反は、ポリエステルや塩化ビニルなどの透明または半透明なフィルムの一面に粘着剤を塗布し、この粘着面の表面に剥離紙を貼り合わせられた長尺の積層体を巻芯（紙管）に巻いたものである。
【０００３】
このようなラミネート・フィルムをメディアの表面に密着させて被覆する従来のラミネート装置は、図５の側面図に示すように、台枠の左右両側に平行に固定された側板11を備え、この側板11を軸受けの支持部材とし、搬送用ローラ３の軸31と、ラミネート・フィルムＡの原反４の巻芯を支持する軸41と、搬送用フィルムＣの原反５の巻芯を支持する軸51と、ラミネート・フィルムＡから剥離した離型紙Ｂを巻き取る巻芯を支持する軸42と、アイドル・ローラ43の軸とを軸受けにより保持している。
【０００４】
さらに、側板11の間には、メディアＭを送り込むテーブル２と、アイドル・ローラ21の軸を軸受けにより保持している。
【０００５】
左右の側板11の間に支持された搬送用ローラ３は、モータ30によって駆動されるものであり、この搬送用ローラ３と上下に対をなす加圧ローラ６が設けられている。
【０００６】
この加圧ローラ６の軸は、可動板61に設けた軸受けにより保持されており、この可動板61は、一端が、側板11に軸支62されており、他端が、レバー63によって回動させられるカム64およびロッド65により上下に昇降させられて、加圧ローラ６を搬送用ローラ３より離間させるように構成されている。なお、スプリング66は、加圧ローラ６に加圧力を作用させるもので、ハンドル68により螺子棒67を回動することにより加圧力を調整することができる。
【０００７】
作業者が、レバー63を操作して加圧ローラ６を搬送用ローラ３より離間させたのち、軸51に搬送用フィルムＣの原反５をセットし、アイドル・ローラ21およびテーブル２上を経て、搬送用ローラ３と加圧ローラ６との間に挿通する。そして、ラミネート・フィルムＡの原反４を軸41にセットし、ラミネート・フィルムＡから離型紙Ｂを剥して、アイドル・ローラ43を介して軸42に支持された巻芯に巻き付け、粘着面が露出したラミネート・フィルムＡを搬送用フィルムＣとともに搬送用ローラ３と加圧ローラ６との間に挿通したのち、レバー63を操作して加圧ローラ６を降下させる。
【０００８】
作業者は、テーブル２の表面を覆う搬送用フィルムＣの上にメディアＭを載せ、フット・スイッチを踏んでモータ30を回転させ、搬送用ローラ３および離型紙Ｂを巻き取る巻芯の軸42を回転させる。搬送用ローラ３の回転により、メディアＭが搬送用フィルムＣとともに搬送用ローラ３と加圧ローラ６との間に引き込まれ、このとき、加圧ローラ６の表面に沿って供給され、粘着面が露出したラミネート・フィルムＡが、メディアＭの表面に貼り付けられて、後側の傾斜したテーブル８の上に排出される。剥ぎ取られた離型紙Ｂは、軸42に支持された巻芯に巻き取られる。
【０００９】
【発明が解決しようとする課題】
このような従来のラミネート装置においては、テンションをかけながらラミネート・フィルムＡを引き出すために、ラミネート・フィルムＡの原反４の巻芯（紙管）を保持する軸41にブレーキをかけている。同様に、テンションをかけながら搬送用フィルムＣを引き出すために、搬送用フィルムＣの原反５の巻芯（紙管）を保持する軸51にもブレーキをかけている。また、テンションをかけながら離型紙Ｂを巻き取るために、離型紙Ｂの巻芯（紙管）を駆動する軸42にはクラッチが設けられている。
【００１０】
各巻芯を各軸41、42、51にそれぞれ装着する際に、軸に対して巻芯がスリップすると、ブレーキまたはクラッチで予め設定したトルクによる適正なテンションをかけることができない。適正なテンションをかけなければ、ラミネート・フィルムＡや搬送用フィルムＣが弛み、皺や斑模様を生じて仕上がりが悪くなる。
【００１１】
そこで、図６の斜視図および図７の断面図に示すように、軸８の円周面の対向する２カ所に全長にわたる平坦な溝81を形成し、この平坦な溝81に、溝81の深さよりも若干太く、溝81の長さより若干短いゴム紐82の両端を固定して取り付ける。そして、装着した巻芯83がスリップすると、巻芯83の内周と平坦な溝81との間に形成された空間84の狭い隅部にゴム紐82が移動させられるので、巻芯83にブレーキやクラッチ以上のトルクを作用させてスリップを抑制している。
【００１２】
しかし、ゴム紐82は細長いので、摩擦により空間84内を転動してもゴム紐82が反発して戻る力は弱く、また、ゴム紐82は劣化しやすく、伸びて弛んだり切れ易いので、取り替えの回数が多いなどの問題があった。そこで、この発明は、このような問題点を解決するために考えられたものである。
【００１３】
【課題を解決するための手段】
この発明のラミネート装置は、ポスターや広告などの印刷物、コンピュータの出力メディアなどの表面に、ラミネート・フィルムを貼り付けて積層体を形成するラミネート装置において、ラミネート・フィルムの原反、ラミネート・フィルムから剥離した離型紙、搬送用フィルムの原反の少なくともいずれか一つの巻芯を支持する軸の側面を軸方向に切欠いて窪みを形成し、この窪みに軟ビニル系チューブなどの可撓性を有するチューブを入れ、このチューブの両端を押さえ部材によって固定した巻芯支持部材を設けるか、または、チューブの中に棒を挿通し、この棒の両端部を押さえ部材によって固定した巻芯支持部材を設けたものである。
【００１４】
【発明の実施の形態】
この発明のラミネート装置は、図１の側面図および図２の断面図に示すように、巻芯を支持するパイプ状の軸71の側面を軸方向に切欠いての細長い孔72を形成し、この孔72に受皿73を嵌め込んで窪みを形成し、この受皿73の窪みに軟ビニル系チューブ（例えば、長さ約２５０ｍｍ、直径約１２〜１５ｍｍ、肉厚約２ｍｍ）のような可撓性を有するチューブ74を軸方向に入れ、このチューブ74の両端を螺子止めされる押さえ金具75によって固定した巻芯支持部材７を備えている。なお、この押さえ金具75の代わりに、合成樹脂を成形したものを使用してもよいのである。
【００１５】
巻芯支持部材７の可撓性を有するチューブ74は、初期撓みにより円弧状に膨らんでいるので、巻芯支持部材７に巻芯を嵌め込んだとき、巻芯の内面に接触する。そのために、巻芯が軸71と相対的に回転したとき、チューブ74は、摩擦力によって引きずられて変形し、図３の断面図に示すように、巻芯79の内周と受皿73との間に形成された空間の狭い隅部にチューブ74が移動させられるので、巻芯79にブレーキやクラッチ以上のトルクを作用させることができる。
【００１６】
次に、巻芯支持部材の他の実施形態を説明する。図４の斜視図に示すように、巻芯支持部材７Ａには、受皿73の中に両端部を斜めに裁断76した可撓性を有するチューブ74を軸方向に入れ、このチューブ74の中に棒、例えば丸棒77を挿通し、この丸棒77の両端を押さえ金具75によって固定したものである。
【００１７】
この巻芯支持部材７Ａによると、チューブ74の両端部が斜めに裁断76されているので、容易に巻芯を嵌め込むことができる。そして、嵌め込んだ巻芯が軸71と相対的に回転したとき、チューブ74は、摩擦力によって引きずられて図３の断面図に示すように変形し、巻芯79にブレーキやクラッチ以上のトルクを作用させることができる。
【００１８】
このように構成された巻芯支持部材７、７Ａは、軸71に１つ設ければよいが、必要なトルクが得られない場合には、複数設ければよいのである。
【００１９】
【発明の効果】
以上の実施の形態に基づく説明から明らかなように、この発明のラミネート装置の巻芯支持部材によると、ゴム紐を用いることなく、軟ビニル系チューブのような可撓性を有するチューブを使用しているので、耐久性があり、かつ、大きな摩擦力を生じて、巻芯にブレーキやクラッチ以上のトルクを作用させることができる。
【図面の簡単な説明】
【図１】この発明のラミネート装置で使用する巻芯支持部材の側面図、
【図２】図１に示す巻芯支持部材の断面図、
【図３】巻芯支持部材により巻芯をスリップしないように保持した状態を示す断面図、
【図４】巻芯支持部材の他の実施形態を示す斜視図、
【図５】従来のラミネート装置を示す側面図、
【図６】従来のラミネート装置で使用されていた巻芯支持部材の斜視図、
【図７】従来の巻芯支持部材の断面図である。
【符号の説明】
Ａ  ラミネート・フィルム
Ｂ  離型紙
Ｃ  搬送用フィルム
Ｍ  メディア
２  テーブル
３  搬送用ローラ
４  ラミネート・フィルムの原反
５  搬送用フィルムの原反
６  加圧ローラ
７  巻芯支持部材
21、44  アイドルローラ
30  モータ
71  軸
73  受皿
74  可撓性を有するチューブ
75  押さえ金具
79  巻芯
【図１】
0003901465.tif 000002
【図２】
0003901465.tif 000003
【図３】
0003901465.tif 000004
【図４】
0003901465.tif 000005
【図５】
0003901465.tif 000006
【図６】
0003901465.tif 000007
【図７】
0003901465.tif 000008